(57)【要約】【課題】消費電力を大きくすることができない部位においても、過電流からの保護を行うことができる電源供給回路を提供することを目的とする。【解決手段】トランスの２次側と前記供給ラインとの間には、前記供給ラインに流れる電流が過電流状態になった場合、前記供給ラインに接続された回路を保護する保護回路が接続されている。また、前記保護回路は、前記供給ラインに接続された検出抵抗と、前記検出抵抗と順方向で並列に接続されたダイオードと、前記検出抵抗の出力側に接続され、前記検出抵抗に流れる電流値が閾値以上である場合、前記供給ラインに接続された回路を過電流から保護するスイッチ回路と、を有する。【選択図】図２
2015115995.tif 000002
【特許請求の範囲】
【請求項１】
トランスと、前記トランスの２次側に接続され電力を供給する供給ラインとを有する電源供給回路であって、
前記トランスの２次側と前記供給ラインとの間には、前記供給ラインに流れる電流が過電流状態になった場合、前記供給ラインに接続された回路を保護する保護回路が接続されており、
前記保護回路は、
前記供給ラインに接続された検出抵抗と、
前記検出抵抗と順方向で並列に接続されたダイオードと、
前記検出抵抗の出力側に接続され、前記検出抵抗に流れる電流値が閾値以上である場合、前記供給ラインに接続された回路を過電流から保護するスイッチ回路と、を有することを特徴とする電源供給回路。
【請求項２】
前記スイッチ回路は、前記供給ラインに接続された前記回路の負荷を低減させる、ことを特徴とする請求項１に記載の電源供給回路。
【請求項３】
前記スイッチ回路は、前記供給ラインと、前記供給ラインに接続された回路との接続を遮断する、ことを特徴とする請求項１に記載の電源供給回路。
【請求項４】
前記スイッチ回路は、前記ダイオードのカソードとエミッタで接続し、前記検出抵抗の出力側とベースで接続するｐｎｐトランジスタを有し、
前記ｐｎｐトランジスタは、前記検出抵抗に流れる電流値が前記閾値以上である場合にオンし、前記供給ラインに接続された回路を過電流から保護する、ことを特徴とする請求項１から請求項３のいずれか一項に記載の電源供給回路。
【請求項５】
前記請求項１に記載した電源供給回路を有する表示装置。
【請求項６】
表示モジュールと、
前記供給ラインに接続され、前記表示モジュールに電源を供給する表示モジュール用電源回路と、
前記表示モジュールと、前記表示モジュール用電源回路と、を電気的に接続する配線と、を有することを特徴とする請求項５に記載の表示装置。
【発明の詳細な説明】
【技術分野】
【０００１】
本発明は、過電流に対する保護機能を備えた電源供給回路、およびこの電源供給回路を備える表示装置に関する。
【背景技術】
【０００２】
従来、電子機器には、電子機器内の回路へ電力を供給する電源供給回路が備えられている。このような電源供給回路では、後段の回路へ過電流を流さないようにするため、保護回路が組み込まれている（例えば、特許文献１−３参照）。
【０００３】
また、保護回路が過電流を検出する方法として、検出部位の電圧変化を利用して、過電流検出を行うものが一般的である。即ち、過電流が生じていない通常状態での電圧値と、過電流によって電圧降下が生じた場合の電圧値との差を検出し、過電流検出を行う。
【先行技術文献】
【特許文献】
【０００４】
【特許文献１】特開２０００−１７５３４５号公報
【特許文献２】特開平０５−０９５６７４号公報
【特許文献３】特開２００２−３０５８４０号公報
【発明の概要】
【発明が解決しようとする課題】
【０００５】
しかし、検出部位の消費電力を大きく出来ない製品では、電圧変化をもとに過電流を検出する手法が適用できない場合があった。即ち、電圧変化の検出が可能となるまで過電流を流す必要があるため、検出する部位の消費電力を大きくさせてしまい、製品に発熱等の問題を生じる場合があった。また、電圧変化が少ない状態で、従来の保護回路を機能させると、回路が誤操作を生じさせる場合もある。
【０００６】
本発明は、上記課題にかんがみてなされたもので、消費電力を大きくすることができない部位においても、過電流からの保護を行うことができる電源供給回路を提供することを目的とする。
【課題を解決するための手段】
【０００７】
上記課題を解決するために、本発明の一態様では、トランスと、前記トランスの２次側に接続され電力を供給する供給ラインとを有する電源供給回路であって、前記トランスの２次側と前記供給ラインとの間には、前記供給ラインに流れる電流が過電流状態になった場合、前記供給ラインに接続された回路を保護する保護回路が接続されており、前記保護回路は、前記供給ラインに接続された検出抵抗と、前記検出抵抗と順方向で並列に接続されたダイオードと、前記検出抵抗の出力側に接続され、前記検出抵抗に流れる電流値が閾値以上である場合、前記供給ラインに接続された回路を過電流から保護するスイッチ回路と、を有する。
【０００８】
上記のように構成された発明では、保護回路の供給ラインに接続された検出抵抗には、ダイオードが順方向で並列に接続されている。つまり、供給ラインに流れる電流は、ダイオード側に多く流れるため、検出抵抗側に流れる電流が少なくなる。そのため、検出抵抗が検出を行う供給ラインの消費電力を大きくしない。また、検出抵抗の出力側にはスイッチ回路が接続されており、このスイッチ回路は検出抵抗に流れる電流値が閾値以上である場合、回路を過電流から保護する。
そのため、消費電力を大きくすることができない部位においても、過電流から回路を保護することができる。
【０００９】
また、本発明の一態様では、前記スイッチ回路は、前記供給ラインに接続された前記回路の負荷を低減させる。
上記のように構成された発明では、供給ラインに接続された回路の負荷を低減させることで、過電流保護を行うことができる。回路の負荷を低減させるとは、例えば、回路に供給される電源供給を低下させることで、回路の駆動を低下させる場合を含む。
【００１０】
そして、本発明の一態様では、前記スイッチ回路は、前記供給ラインと、前記供給ラインに接続された回路との接続を遮断する。
上記のように構成された発明では、供給ラインと回路との間の導通を遮断することで、過電流保護を行うことができる。
【００１１】
さらに、本発明の一態様では、前記スイッチ回路は、前記ダイオードのカソードとエミッタで接続し、前記検出抵抗の出力側とベースで接続するｐｎｐトランジスタを有し、前記ｐｎｐトランジスタは、前記検出抵抗に流れる電流値が前記閾値以上である場合にオンし、前記供給ラインに接続された回路を過電流から保護する。
上記のように構成された発明では、ｐｎｐトランジスタを用いる具体的な構成により本発明を具体化することができる。
【００１２】
また、本発明は、電源供給回路のみならず、この電源供給回路を有する表示装置としても捉えることができる。
【００１３】
そして、本発明の一態様では、表示モジュールと、前記供給ラインと接続し、前記表示モジュールに電源を供給する表示モジュール用電源回路と、前記表示モジュールと、前記表示モジュール用電源回路と、を電気的に接続する配線と、を有する構成としてもよい。
上記のように構成された発明では、表示装置の使用者が手に触れ易い配線の発熱を抑制することができ、使用者が安全に表示装置を使用することができる。
【図面の簡単な説明】
【００１４】
【図１】表示装置のブロック構成図
【図２】過電圧保護回路の回路図
【図３】電源供給回路２０の動作を説明する図である。
【図４】第２の実施形態に係る表示装置１００のブロック構成図である。
【図５】第２の実施形態に係る保護回路１０の回路図を示す。
【図６】電源供給回路２０の動作を説明する図である。
【発明を実施するための形態】
【００１５】
以下、下記の順序に従って本発明の実施形態を説明する。
１．第１の実施形態：
（１）表示装置の構成
（２）電源供給回路の構成
（３）保護回路の構成
（４）電源供給回路の動作
２．第２の実施形態：
３．第３の実施形態：
４．その他の実施形態：
【００１６】
１．第１の実施形態：
（１）表示装置の構成
図１は、表示装置１００の構成を説明するブロック構成図である。
表示装置１００は、図示しない筺体内部に、電源供給回路２０と、プロテクトＩＣ３０と、ＬＣＤモジュールＶＬＥＤ回路８０と、ＡＬＬ電源レギュレート回路８２と、Ｐ−ＯＮ電源レギュレート回路８３と、表示モジュール８４と、ＳＯＣブロック８５と、備えている。表示装置１００は、例えば、液晶型の表示装置であり、表示モジュール８４により映像を表示させることができる。
【００１７】
電源供給回路２０は、ＡＣ電源１１０をもとに直流（ＤＣ）の安定化電源を生成する。また、電源供給回路２０は、入力側で図示しないプラグを通じてＡＣ電源１１０に着脱可能に接続され、出力側でＬＣＤモジュールＶＬＥＤ回路（表示モジュール用電源回路）８０、ＡＬＬ電源レギュレート回路８２、Ｐ−ＯＮ電源レギュレート回路８３にそれぞれ接続されている。そのため、電源供給回路２０で生成された安定化電源は、ＬＣＤモジュールＶＬＥＤ回路８０、ＡＬＬ電源レギュレート回路８２、Ｐ−ＯＮ電源レギュレート回路８３に供給される。
【００１８】
ＬＣＤモジュールＶＬＥＤ回路８０は、電源供給回路２０から供給された安定化電源をもとに表示モジュール８４を駆動するための駆動電圧を生成する。また、ＬＣＤモジュールＶＬＥＤ回路８０は、配線８１を介して出力側で表示モジュール８４に接続されており、生成した駆動電圧を表示モジュール８４に供給する。
【００１９】
配線８１は、ＬＣＤモジュールＶＬＥＤ回路８０と表示モジュール８４とを繋ぐ配線である。配線８１は、例えば、駆動電圧を供給するためのケーブルである。本実施形態では、配線８１は一部が筺体から露出しており、利用者が接触できるようになっている。
また、表示モジュール８４は、液晶型の表示パネルやこの表示パネルを駆動するためのドライバ回路を有している。表示モジュール８４は、配線８１を通じて供給される駆動電圧により駆動する。
【００２０】
ＡＬＬ電源レギュレート回路８２およびＰ−ＯＮ電源レギュレート回路８３は、出力側でＳＯＣブロック８５に接続されている。ＡＬＬ電源レギュレート回路８２は、ＳＯＣブロック８５を駆動するためのＡＬＬ電圧を供給する。また、Ｐ−ＯＮ電源レギュレート回路８３は、ＳＯＣブロックをパワーオンするためのＰ−ＯＮ電圧を供給する。
【００２１】
ＳＯＣブロック８５は、表示装置１００が映像を出力するための駆動を制御するＣＰＵ、ＲＯＭ、ＲＡＭ、更には映像データを処理するための映像処理ブロックを備えている。また、ＳＯＣブロック８５は、ＬＶＤＳケーブル等により表示モジュール８４に接続されており、映像データを表示モジュール８４に出力する。さらに、ＳＯＣブロック８５は、Ｐ−ＯＮ電源がローレベルに変化したことを検出すると、表示装置１００を待機モードに移行させる。待機モードでは、表示装置１００を構成する各回路８０、８２、８３に供給する電源を低下させ、駆動を停止させる。
【００２２】
電源供給回路２０には、プロテクトＩＣ３０が接続されている。このプロテクトＩＣ３０は、Ｐ−ＯＮ電源レギュレート回路８３にも接続されている。プロテクトＩＣ３０は、電源供給回路２０が過電流状態を検出した場合に、回路８０、８２、８３の負荷を低減する。本実施形態では、プロテクトＩＣ３０は、表示装置１００を強制的に待機モードに移行させることで、負荷の低減を行う。
【００２３】
（２）電源供給回路の構成
次に、電源供給回路２０の構成を詳細に説明する。電源供給回路２０は、整流回路２２と、トランス２３と、保護回路１０と、モード切替え回路２１と、を有する。図示しないが、電源供給回路２０は、ＦＥＴ（Field-Effect Transistor）を備え、発振回路として機能する。
【００２４】
整流回路２２は、ダイオードブリッジ等の回路を有し、ＡＣ電源１１０から供給される交流電源を整流する。整流回路２２は、図示しないプラグと接続されている。また、整流回路の出力側は、トランス２３の一次側と接続されている。
【００２５】
トランス２３は一次側の巻線に供給された電源に応じて、二次側の巻線から巻き線比に応じた電圧（電源）を取り出す。また、トランス２３の二次側には、ＬＣＤモジュールＶＬＥＤ回路８０、ＡＬＬ電源レギュレート回路８２、Ｐ−ＯＮ電源レギュレート回路８３のそれぞれに電源を供給する供給ラインＬ１が接続されている。
【００２６】
また、供給ラインＬ１には、モード切替え回路２１が接続されている。モード切替え回路２１は、表示装置１００の駆動モードが待機モードに移行した場合、供給ラインＬ１に流れる安定化電源の電圧値を低下させる。モード切替え回路２１は、例えば、Ｐ−ＯＮ電源レギュレート回路８３から出力されるＰ−ＯＮ信号の信号変化に応じて、分圧比を切替えることができる。一例として、モード切替え回路２１は、分圧比を切替えることで、供給ラインＬ１を通じて供給される安定化電源の電圧を６０Ｖから１０Ｖに変化させる。
【００２７】
また、供給ラインＬ１には保護回路１０が接続されている。保護回路１０は、供給ラインＬ１に流れる電流を監視し、供給ラインＬ１が過電流状態になった場合に、供給ラインＬ１に接続された回路８０、８２、８３を過電流から保護する。さらに、保護回路１０はプロテクトＩＣ３０にも接続されている。
【００２８】
（３）保護回路の構成
次に、保護回路１０の構成について詳細に説明する。図２は、保護回路１０の構成を説明する回路図である。保護回路１０は、検出抵抗１１と、調整用ダイオード１２と、スイッチ回路１３と、を有する。
【００２９】
検出抵抗１１は、供給ラインＬ１の入力側（Ｖｉｎ）に直列に接続されており、供給ラインＬ１に流れる電流を検出電流Ｉｄとして検出する。また、検出抵抗１１の入力側には、調整用ダイオード１２が並列に接続されている。図２では、調整用ダイオード１２は、検出抵抗１１の入力側に順方向に接続されている。検出抵抗１１に電流が流れることで規定される電圧（ベース側電圧）は、調整用ダイオード１２に電流が流れることで規定される順方向電圧Ｖｆ（エミッタ側電圧）と比べて小さくなるよう各値が設定されている。また、調整用ダイオード１２は、複数のダイオードを直列に接続するものであってもよい。
【００３０】
調整用ダイオード１２は、検出抵抗１１と順方向に並列に接続されているため、供給ラインＬ１の入力側（Ｖｉｎ）を通じて電流が流れると、検出抵抗１１と比べて多くの電流が流れる。そのため、検出抵抗１１に流れる電流値は大きくならず、消費電力を高くしない。また、ダイオードを直列に接続して順方向電圧Ｖｆを設定することができるため、抵抗を用いる場合に比べて、検出抵抗１１の設定電流値を容易に設定することができる。さらに、調整用ダイオード１２を用いて設定電流値を設定することで、抵抗を用いる場合に比べて、素子のサイズを小さくすることができ、保護回路１０のサイズを小さくすることができる。
【００３１】
検出抵抗１１の出力側には、スイッチ回路１３が接続されている。また、スイッチ回路１３は、プロテクトＩＣ３０に接続されており、検出電流Ｉｄの値に応じた検出信号ＤＳをプロテクトＩＣ３０に出力する。スイッチ回路１３は、検出電流Ｉｄの値が閾値Ｉｔを超えない場合、ハイレベルの検出信号ＤＳを出力する。一方、スイッチ回路１３は、検出電流Ｉｄの電流値が閾値Ｉｔを超えた場合、検出信号ＤＳのレベルをローレベルに変化させる。
一例として、閾値Ｉｔの値は、例えば、通常の状態で検出抵抗１１に流れる電流の２倍の電流値としている。
【００３２】
図２では、スイッチ回路１３は、トランジスタ１３ａ、１３ｂ、抵抗１３ｃ、ダイオード１３ｄ、グランド１３ｅとを含む。トランジスタ１３ａはｐｎｐトランジスタである。また、トランジスタ１３ｂはｎｐｎトランジスタである。
【００３３】
トランジスタ１３ａのベースは検出抵抗１１の出力側に接続され、エミッタは調整用ダイオード１２のカソードに接続され、コレクタはトランジスタ１３ｂのベースに接続されている。
【００３４】
トランジスタ１３ｂは、コレクタが抵抗１３ｃを介して供給ラインＬ１に接続され、エミッタがグランド１３ｅに接続されている。また、トランジスタ１３ｂのコレクタと抵抗１３ｃとの接点にはダイオード１３ｄが順方向に接続されている。そして、ダイオード１３ｄのカソードは、プロテクトＩＣ３０（図１）に接続されている。
【００３５】
上記構成の保護回路１０が検出電流Ｉｄの変化に応じて検出信号ＤＳのレベルを変化させる仕組みを説明する。
まず、トランジスタ１３ａのベースには、検出抵抗１１に流れる電流（検出電流Ｉｄ）に応じたベース電流が流れる。ここで、検出抵抗１１に流れる電流が閾値Ｉｔを超えない場合、トランジスタ１３ａには、十分なベース電流が流れず、エミッタ−コレクタ間に電流が流れない。そのため、トランジスタ１３ａはオンせず、トランジスタ１３ｂにベース電流が流れない。そのため、供給ラインＬ１と抵抗１３ｃを通じて接続されたダイオード１３ｄから出力される検出信号ＤＳはハイレベルを維持する。
【００３６】
一方、検出抵抗１１に流れる検出電流Ｉｄが閾値Ｉｔを超える場合、トランジスタ１３ａのベースに十分なベース電流が流れ、トランジスタ１３ａをオンする。トランジスタ１３ａのオンにより、トランジスタ１３ｂのベースにベース電流が流れ、トランジスタ１３ｂをオンする。トランジスタ１３ｂがオンすることで、エミッタ−コレクタ間に電流が流れ、ダイオード１３ｄからの検出信号ＤＳをローレベルに変化させる。
なお、トランジスタ１３ａのエミッタ−コレクタ間に電流が流れることで、検出抵抗１１に流れる電流値も少なくなる。
【００３７】
（４）電源供給回路の動作
図３は、電源供給回路２０の動作を説明する図である。図３（ａ）は、横軸を時間とし縦軸を電流値（Ａ）とした場合の、検出電流Ｉｄの変化を示す。図３（ｂ）は、横軸を時間とし縦軸を信号レベル（電圧）とした場合の、検出信号ＤＳの変化を示す。図３（ｃ）は、横軸を時間とし、縦軸を信号レベル（電圧）とした場合の、Ｐ−ＯＮ信号の変化を示す。図３（ｄ）は、横軸を時間とし、縦軸を負荷（Ｗ）とした場合のＬＣＤモジュールＶＬＥＤ回路８０の負荷の変化を示す。
【００３８】
まず、検出抵抗１１に流れる検出電流Ｉｄが閾値Ｉｔ以下の期間ｔ０−ｔ１では（図３（ａ））、保護回路１０から出力される検出信号ＤＳはハイレベルを維持している（図３（ｂ））。そのため、プロテクトＩＣ３０から出力されるＰ−ＯＮ信号はハイレベルを維持し（図３（ｃ））、表示装置１００の駆動モードは通常状態となっている（図３（ｄ））。
【００３９】
図３では、期間ｔ１以後、ＳＯＣブロック８５の異常により、ＬＣＤモジュールＶＬＥＤ回路８０の負荷が高くなっている。供給ラインＬ１に接続された回路の負荷が上昇することで、検出抵抗１１に流れる検出電流Ｉｄが上昇している（図３（ａ））。そして、期間ｔ２で検出電流Ｉｄが閾値Ｉｔを超えると、保護回路１０から出力される検出信号ＤＳがローレベルに変化する（図３（ｂ））。プロテクトＩＣ３０は、検出信号ＤＳがハイレベルからローレベルに変化したことを検出すると、Ｐ−ＯＮ信号をローレベルに変化させる（図３（ｃ））。そのため、モード切替え回路２１は、期間ｔ３でＰ−ＯＮ信号の変化を検出し、表示装置１００の駆動モードを、待機モードに変化させる（図３（ｄ））。
【００４０】
待機モードでは、切替え回路２１は供給ラインＬ１に流れる安定化電源を６０Ｖから１０Ｖに低下させるため、ＬＣＤモジュールＶＬＥＤ回路８０は、駆動を停止する。なお、保護回路１０の検出により切替えられた待機モードは、通常の待機モードとは異なり、ＳＯＣブロック８５が待機モードから復帰させる条件の成立を検出しても復帰しない。
【００４１】
以上説明したように、この第１の実施形態では、供給ラインＬ１に接続された検出抵抗１１には、調整用ダイオード１２が順方向で並列に接続されている。つまり、検出抵抗に流れる電流は、ダイオードの順方向電圧によって規定され、検出抵抗の消費電力を大きくしない。また、検出抵抗の出力側にはスイッチ回路が接続されており、このスイッチ回路は検出抵抗に流れる電流値が閾値以上である場合、供給ラインに流れる電流を低下させる。そのため、消費電力を大きくすることができない部位においても、過電流から回路を保護することができる。
【００４２】
また、表示モジュール８４とＬＣＤモジュールＶＬＥＤ回路８０とを繋ぐ配線８１のような使用者が手に触れる箇所の消費電力を抑えることができるため、配線８１の発熱を抑制しつつ、過電流から保護することができる。その結果、使用者が安全に表示装置１００を使用することができる。
【００４３】
２．第２の実施形態：
この第２の実施形態では、保護回路１０のスイッチ回路の機能が、第１の実施形態と比べて異なる。即ち、この第２の実施形態では、スイッチ回路が、供給ラインＬ１に流れる安定化電源の供給を遮断する機能を有している。そのため、この第２の実施形態では、表示装置１００はプロテクトＩＣ３０を有していない。なお、同様の符号を付した箇所は、第１の実施形態と同様のものであり、その説明は省略する。
【００４４】
図４は、第２の実施形態に係る表示装置１００のブロック構成図である。表示装置１００は、電源供給回路２０と、ＬＣＤモジュールＶＬＥＤ回路８０、ＡＬＬ電源レギュレート回路８２、Ｐ−ＯＮ電源レギュレート回路８３と、表示モジュール８４と、ＳＯＣブロック８５と、を有する。図４に示す各部の接続関係は、プロテクトＩＣが存在しない以外は第１の実施形態と同様である。
【００４５】
図５は、第２の実施形態に係る保護回路１０の回路図を示す。保護回路１０は、検出抵抗１１と、調整用ダイオード１２と、スイッチ回路１３０と、を有する。図５においても、保護回路１０は、供給ラインＬ１に接続され、この供給ラインＬ１の電流を監視している。
【００４６】
検出抵抗１１の出力側には、スイッチ回路１３０が接続されている。また、スイッチ回路１３０は、供給ラインＬ１に接続されており、検出電流Ｉｄの値に応じて供給ラインＬ１とグランド１３０ｅとの接続を切替える。即ち、スイッチ回路１３０は、検出電流Ｉｄの値が閾値Ｉｔを超えない場合、供給ラインＬ１とグランド１３０ｅとを接続させない。一方、スイッチ回路１３０は、検出電流Ｉｄの電流値が閾値Ｉｔを超えた場合、供給ラインＬ１をグランド１３０ｅに接続する。
【００４７】
図２では、スイッチ回路１３０は、トランジスタ１３０ａ、１３０ｂ、抵抗１３０ｃ、１３０ｄ、グランド１３０ｅ、を含む。この第２の実施形態では、トランジスタ１３０ａ、１３０ｂは、共に、ｐｎｐトランジスタである。
【００４８】
トランジスタ１３０ａのベースは検出抵抗１１の出力側に接続され、エミッタは調整用ダイオード１２のカソードに接続され、コレクタはトランジスタ１３０ｂのベースに接続されている。
【００４９】
トランジスタ１３０ｂは、エミッタが供給ラインＬ１の出力側に接続され、コレクタがＬＣＤモジュールＶＬＥＤ回路８０、ＡＬＬ電源レギュレート回路８２、Ｐ−ＯＮ電源レギュレート回路８３にそれぞれ接続されている。即ち、供給ラインＬ１と、各回路８０、８２、８３との導通は、トランジスタ１３０ｂのオン・オフにより切替えられる。また、トランジスタ１３ｂのベースは、抵抗１３０ｄを通じて、検出抵抗１１の入力側に接続され、抵抗１３０ｃを介してグランド１３０ｅに接続されている。
【００５０】
上記構成の保護回路１０が検出電流Ｉｄの変化に応じて供給ラインＬ１とグランド１３０ｅとの接続を切替える仕組みを説明する。図６は、電源供給回路２０の動作を説明する図である。図６（ａ）は、横軸を時間とし縦軸を電流値（Ａ）とした場合の、検出電流Ｉｄの変化を示す。図６（ｂ）は、横軸を時間とし、縦軸を負荷（Ｗ）とした場合のＬＣＤモジュールＶＬＥＤ回路８０の負荷の変化を示す。
【００５１】
まず、期間ｔ０−ｔ１では、検出抵抗１１に流れる電流が閾値Ｉｔを超えず（図６（ａ））、トランジスタ１３０ａのベースには十分なベース電流が流れず、エミッタ−コレクタ間に電流が流れない。一方、トランジスタ１３０ｂには、抵抗１３０ｄを通じてベース電流が流れるため、トランジスタ１３０ｂはオンしており、エミッターコレクタ間に電流を流す。そのため、供給ラインＬ１は回路８０、８２、８３と導通し、安定化電源を供給する（図６（ｂ））。
【００５２】
一方、期間ｔ１以後、供給ラインＬ１に流れる電流が増加し、期間ｔ２で、検出抵抗１１に流れる検出電流Ｉｄが閾値Ｉｔを超えると（図６（ａ））、トランジスタ１３０ａに十分なベース電流が流れる。すると、トランジスタ１３０ａのエミッタ−コレクタ間に電流が流れ、トランジスタ１３０ｂのベース電流を低下させる。その後、期間ｔ３において、トランジスタ１３０ｂがオフし、供給ラインＬ１と、回路８０、８２、８３との導通は遮断される（図６（ｂ））。そのため、回路８０、８２、８３を過電流から保護することができる。
なお、検出抵抗１１に流れる電流が閾値Ｉｔを下回った場合、トランジスタ１３０ａは再度オフするため、トランジスタ１３０ｂもオフし、供給ラインＬ１からの安定化電源の供給が再開される。
【００５３】
以上説明したようにこの第２の実施形態では、供給ラインＬ１と回路８０、８２、８３との間の導通を遮断することで、過電流保護を行うことができる。
【００５４】
３．第３の実施形態：
また、保護回路１０の検出抵抗１１が接続される箇所は、供給ラインＬ１に限定されない。例えば、トランス２３の巻線（コイル）に直接接続されるものであってもよい。トランス２３は、経年劣化により巻線同士が接触し過電流を生じさせる場合がある。そのため、保護回路１０の検出抵抗１１をトランス２３の巻線に直接接続することで、トランス２３の経年劣化にもとづく過電流の発生から各回路を保護することができる。
【００５５】
４．その他の実施形態：
本発明は様々な実施形態が存在する。
スイッチ回路１３を、電源供給回路２０のフィードバックライン（図示しない）に接続し、過電流が検出された場合に、フィードバックラインを通じてフィードバック信号を出力するものであってもよい。
また、電源供給回路２０を有する電子機器として表示装置を用いることは一例にすぎない。
【００５６】
なお、本発明は上記実施例に限られるものでないことは言うまでもない。
即ち、
上記実施例の中で開示した相互に置換可能な部材および構成等を適宜その組み合わせを変更して適用すること、
上記実施例の中で開示されていないが、公知技術であって上記実施例の中で開示した部材および構成等と相互に置換可能な部材および構成等を適宜置換し、またその組み合わせを変更して適用すること、
上記実施例の中で開示されていないが、公知技術等に基づいて当業者が上記実施例の中で開示した部材および構成等の代用として想定し得る部材および構成等と適宜置換し、またその組み合わせを変更して適用すること、
は本発明の一実施例として開示されるものである。
【符号の説明】
【００５７】
１０…保護回路、１１…検出抵抗、１２…調整用ダイオード、１３…スイッチ回路、１３ａ、１３ｂ…トランジスタ、１３ｃ…抵抗、１３ｄ…ダイオード、１３ｅ…グランド、２０…電源供給回路、２１…モード切替え回路、２２…整流回路、２３…トランス、８０…ＬＣＤモジュールＶＬＥＤ回路、８１…配線、８２…ＡＬＬ電源レギュレート回路、８３…Ｐ−ＯＮ電源レギュレート回路、８４…表示モジュール、８５…ＳＯＣブロック、１００…表示装置、１１０…ＡＣ電源、１３０…スイッチ回路、１３０ａ、１３０ｂ…トランジスタ、１３０ｃ、１３０ｄ…抵抗、１３０ｅ…グランド
【図１】
2015115995.tif 000003
【図２】
2015115995.tif 000004
【図３】
2015115995.tif 000005
【図４】
2015115995.tif 000006
【図５】
2015115995.tif 000007
【図６】
2015115995.tif 000008